(57)【要約】【課題】表示品位の低下を抑制することが可能な表示装置を提供する。【解決手段】表示装置は、第１基板と、第１基板の上に設けられた複数の第１電極と、第１基板に対向して配置された第２基板と、第２基板の第１電極の側に形成された第２電極と、第１基板と第２基板との間に封止されると共に、泳動粒子を含む表示層と、表示層を複数の素子領域に分割する隔壁とを備える。隔壁は、平面視において、３以上の頂点部と、３以上の頂点部のうちの選択的な２つの頂点部を結ぶ１または複数の線状部とを含み、各線状部は、該線状部によって結ばれる２つの頂点部間の最短距離よりも大きな長さを有する。【選択図】図１
2018017822.tif 000002
【特許請求の範囲】
【請求項１】
第１基板と、
前記第１基板の上に設けられた複数の第１電極と、
前記第１基板に対向して配置された第２基板と、
前記第２基板の前記第１電極の側に形成された第２電極と、
前記第１基板と前記第２基板との間に封止されると共に、泳動粒子を含む表示層と、
前記表示層を複数の素子領域に分割する隔壁と
を備え、
前記隔壁は、平面視において、３以上の頂点部と、前記３以上の頂点部のうちの選択的な２つの頂点部を結ぶ１または複数の線状部とを含み、
各線状部は、該線状部によって結ばれる２つの頂点部間の最短距離よりも大きな長さを有する
表示装置。
【請求項２】
各線状部は、該線状部によって結ばれる２つの頂点部間の最短距離の１１０％以上の長さを有する
請求項１に記載の表示装置。
【請求項３】
各線状部は、該線状部によって結ばれる２つの頂点部間の最短距離の１２０％以上の長さを有する
請求項２に記載の表示装置。
【請求項４】
各線状部は、湾曲または屈曲した部分を含む
請求項１に記載の表示装置。
【請求項５】
各線状部は、平面視において、該線状部によって結ばれる２つの頂点部を端部とする直線のうちの一方の側のみに形成されている
請求項１に記載の表示装置。
【請求項６】
各線状部は、平面視において、該線状部によって結ばれる２つの頂点部を端部とする直線と、１または複数の箇所において交差して形成されている
請求項１に記載の表示装置。
【請求項７】
前記複数の素子領域の面積は互いに同一である
請求項１に記載の表示装置。
【請求項８】
前記複数の素子領域は、平面視において、互いに同一の形状を有する
請求項１に記載の表示装置。
【請求項９】
前記複数の素子領域は、平面視において、敷き詰められて配置されている
請求項１に記載の表示装置。
【請求項１０】
前記隔壁の前記頂点部同士を直線で結んでなる基本骨格は、平面視において、正多角形状を有する
請求項１に記載の表示装置。
【請求項１１】
前記正多角形状は、正三角形状、正方形状または正六角形状である
請求項１０に記載の表示装置。
【請求項１２】
前記隔壁は、伸縮性を有する
請求項１に記載の表示装置。
【請求項１３】
前記第１基板および前記第２基板は、伸縮性を有する
請求項１に記載の表示装置。
【請求項１４】
前記隔壁の構成材料のヤング率は、前記第１基板および前記第２基板のヤング率よりも大きい
請求項１に記載の表示装置。
【請求項１５】
第１基板と、
前記第１基板の上に設けられた複数の第１電極と、
前記第１基板に対向配置された第２基板と、
前記第２基板の前記第１電極の側に形成された第２電極と、
前記第１基板と前記第２基板との間に封止されると共に、泳動粒子を含む表示層と、
前記表示層を複数の素子領域に分割する隔壁と
を備え、
前記隔壁は、平面視において、３以上の頂点部と、前記３以上の頂点部のうちの選択的な２つの頂点部を結ぶ１または複数の線状部とを含み、
各線状部は、該線状部によって結ばれる２つの頂点部間の最短距離よりも大きな長さを有する
表示装置を備えた電子機器。
【発明の詳細な説明】
【技術分野】
【０００１】
本開示は、例えば電気泳動素子を含む表示装置およびこれを備えた電子機器に関する。
【背景技術】
【０００２】
電気泳動現象を利用した表示装置（電気泳動型ディスプレイ）は、近年、読書用途に限らず、ファッション用途等の様々な用途において開発されている。この表示装置の構造には、大きく分けて２つの方式を用いたものがある。例えば、マイクロカプセル方式（例えば、特許文献１）と、マイクロカップ方式（隔壁方式、リブ方式）（例えば、特許文献２，３）とがある。これらのうち、マイクロカプセル方式は、泳動粒子が内包されたマイクロカプセルが一対の電極間に配置されたものである。この方式では、シート化のプロセスが簡便であるが、作製可能なマイクロカプセルの大きさに制限があるため、電極間距離の調節による表示特性のチューニングを行いにくい。また、電極間距離が小さくなり、カプセルの直径が小さくなるにしたがって、シート内で表示に寄与しないカプセル外殻の割合が大きくなることから、表示品位が低下する。更に、カプセルは、機械的に脆弱な材料で形成されることが多いことから、外部からの圧力によって破壊され易く、表示不良の原因となることもある。
【０００３】
一方、マイクロカップ方式は、隔壁を利用して泳動粒子を複数の領域に区画するものである。この方式では、泳動粒子を一定の区域内に保持することができる。また、隔壁の高さを変更することにより比較的自由に電極間距離を調整できるため表示特性のチューニングを行い易い。
【先行技術文献】
【特許文献】
【０００４】
【特許文献１】特表２００２−５３２７５６号公報
【特許文献２】国際公開第２００５／０１５８９２号
【特許文献３】特開２０１４−１７０１８８号公報
【発明の概要】
【発明が解決しようとする課題】
【０００５】
上記のような隔壁が、例えばフレキシブルな基材を用いた表示装置に用いられる場合等に、泳動粒子を一定の区域内に保持しつつ、曲げ等の変形に対する自由度（柔軟性）を向上させることが望まれる。泳動粒子の偏りや柔軟性の欠如による表示品位の低下を抑制することが望ましい。
【０００６】
表示品位の低下を抑制することが可能な表示装置および電子機器を提供することが望ましい。
【課題を解決するための手段】
【０００７】
本開示の一実施の形態の表示装置は、第１基板と、第１基板の上に設けられた複数の第１電極と、第１基板に対向して配置された第２基板と、第２基板の第１電極の側に形成された第２電極と、第１基板と第２基板との間に封止されると共に、泳動粒子を含む表示層と、表示層を複数の素子領域に分割する隔壁とを備えたものである。隔壁は、平面視において、３以上の頂点部と、３以上の頂点部のうちの選択的な２つの頂点部を結ぶ１または複数の線状部とを含み、各線状部は、該線状部によって結ばれる２つの頂点部間の最短距離よりも大きな長さを有する。
【０００８】
本開示の一実施の形態の電子機器は、上記本開示の一実施の形態の表示装置を備えたものである。
【０００９】
本開示の一実施の形態の表示装置および電子機器では、第１基板と第２基板との間に封止されると共に泳動粒子を含む表示層を、複数の素子領域に分割する隔壁が設けられている。平面視において、隔壁を構成する線状部が、該線状部によって結ばれる２つの頂点部間の最短距離よりも大きな長さを有する。これにより、隔壁全体の伸縮性が向上し、装置全体が曲げ等により変形した際の隔壁にかかる応力が緩和される。
【発明の効果】
【００１０】
本開示の一実施の形態の表示装置および電子機器によれば、第１基板と第２基板との間に封止されると共に泳動粒子を含む表示層を、複数の素子領域に分割する隔壁が設けられている。この隔壁が、平面視において、３以上の頂点部のうちの選択的な２つの頂点部を結ぶ１または複数の線状部を含む。各線状部が、該線状部によって結ばれる２つの頂点部間の最短距離よりも大きな長さを有するようにしたので、装置全体が曲げ等により変形した際に、隔壁にかかる応力を緩和することができる。隔壁により、泳動粒子の偏りを抑制しつつ、変形に対する柔軟性を向上させることができる。よって、表示品位を向上させることが可能となる。
【００１１】
なお、ここに記載された効果は必ずしも限定されるものではなく、本開示中に記載されたいずれの効果であってもよい。
【図面の簡単な説明】
【００１２】
【図１】本開示の一実施の形態に係る表示装置の構成を表す断面模式図である。
【図２】図１に示した泳動粒子を含む電気泳動素子の構成を表す平面模式図である。
【図３Ａ】図１に示した隔壁の基本骨格形状の第１の例を表す平面模式図である。
【図３Ｂ】図１に示した隔壁の基本骨格形状の第２の例を表す平面模式図である。
【図３Ｃ】図１に示した隔壁の基本骨格形状の第３の例を表す平面模式図である。
【図４】図１に示した隔壁を構成する線状部の一例を説明するための平面模式図である。
【図５】図４に示した線状部を含む隔壁の一例を表す平面模式図である。
【図６】図１に示した隔壁を構成する線状部の他の例を説明するための平面模式図である。
【図７】図６に示した線状部を含む隔壁の一例を表す平面模式図である。
【図８】図１に示した表示装置の製造工程を説明するための断面図である。
【図９】図８に続く工程を表す断面図である。
【図１０Ａ】図９に続く工程を表す断面図である。
【図１０Ｂ】図１０Ａに続く工程を表す断面図である。
【図１１】図１に示した表示装置の製造工程を説明するための断面図である。
【図１２】図１０Ｂおよび図１１に続く工程を表す断面図である。
【図１３】比較例に係る隔壁の構成を表す平面模式図である。
【図１４】変形例１に係る隔壁を構成する線状部の一例を説明するための平面模式図である。
【図１５】図１４に示した線状部を含む隔壁の一例を表す平面模式図である。
【図１６】変形例２に係る隔壁を構成する線状部の一例を説明するための平面模式図である。
【図１７】図１６に示した線状部を含む隔壁の一例を表す平面模式図である。
【図１８】変形例３に係る隔壁を構成する線状部の一例を説明するための平面模式図である。
【図１９】図１８に示した線状部を含む隔壁の一例を表す平面模式図である。
【図２０】変形例４に係る隔壁を構成する線状部の一例を説明するための平面模式図である。
【図２１】図２０に示した線状部を含む隔壁の一例を表す平面模式図である。
【図２２Ａ】適用例１の外観の一例を表す斜視図である。
【図２２Ｂ】適用例１の外観の他の例を表す斜視図である。
【図２３Ａ】適用例２の外観の一例を表す斜視図である。
【図２３Ｂ】適用例２の外観の他の例を表す斜視図である。
【図２４】適用例３の外観の一例を表す斜視図である。
【発明を実施するための形態】
【００１３】
以下、本開示の実施の形態について、図面を参照して詳細に説明する。なお、説明は以下の順序で行う。
１．実施の形態（隔壁を構成する各線状部が、頂点部間の最短距離よりも大きい長さをもつ表示装置の例）
２．変形例１（隔壁の線状部が、頂点部間を結ぶ直線と１回交差する場合の例）
３．変形例２（隔壁の線状部が、頂点部間を結ぶ直線と１回交差する場合の他の例）
４．変形例３（隔壁の線状部が、頂点部間を結ぶ直線と２回交差する場合の例）
５．変形例４（隔壁の線状部が、頂点部間に湾曲部分と直線部分とを含む場合の例）
６．適用例（電子機器の例）
【００１４】
＜実施の形態＞
［構成］
図１は、本開示の一実施の形態に係る表示装置（表示装置１）の断面構成を表したものである。この表示装置１は、電気泳動現象を利用して画像（例えば文字情報等）を表示する電気泳動型ディスプレイ（いわゆる電子ペーパーディスプレイ）である。表示装置１は、例えば、第１基板１１上に、第１電極２１と、粘着層２２と、表示層２０と、第２電極３２と、第２基板３１とをこの順に備える。第１電極２１は、第１基板１１上に複数設けられている。表示層２０は、第１基板１１と第２基板３１との間に封止され、電気泳動素子２４を含んで構成されている。第２電極３２は、第２基板３１の第１電極２１側の面に設けられている。この表示層２０には、表示層２０を複数の素子領域（セル２０Ａ）に分割する隔壁２３が設けられている。図１は、表示装置１の構成を模式的に表したものであり、実際の寸法および形状とは異なる場合がある。
【００１５】
第１基板１１は、例えば伸縮性（ストレッチ性）を有する材料を含んで構成されることが望ましい。伸縮性を有する材料の一例としては、天然ゴムまたは合成ゴムが挙げられる。合成ゴムとしては、例えば、シリコーン樹脂、ウレタン樹脂、エピクロロヒドリン樹脂、アクリル酸エステル樹脂、クロロスルホン化ポリエチレン、エチレンプロピレン、ポリブタジエン樹脂、およびニトリル樹脂等の熱可塑性エラストマーが挙げられる。あるいは、これらの樹脂を主骨格に含む光硬化性エラストマーが用いられてもよい。この第１基板１１の厚みは、例えば０．０５ｍｍ以上５ｍｍ以下であり、例えば１ｍｍとすることができる。尚、第２基板３１についても同様で、第１基板１１と同様の伸縮性を有する材料を含んで構成されることが望ましい。
【００１６】
但し、第１基板１１は、上記のような伸縮可能な材料に限らず、可撓性（フレキシブル性）を有する材料を含んで構成されてもよい。可撓性を有する材料としては、プラスチック材料等が挙げられる。プラスチック材料としては、例えば、ポリイミド類、ポリアミド類、ポリアセタール類、ポリカーボネート（ＰＣ）、ポリエチレンテレフタレート（ＰＥＴ）、ポリエチレンナフタレート（ＰＥＮ）、ポリエチルエーテルケトン（ＰＥＥＫ）、ポリエーテルサルフォン（ＰＥＳ）およびポリオレフィン等が挙げられる。この他、セルロースナノファイバー基板を用いてもよい。また、プラスチック材料の他にも、薄膜化により可撓性を発揮し得る無機材料または金属材料が用いられても構わない。そのような無機材料としては、例えば、ケイ素（Ｓｉ），酸化ケイ素（ＳｉＯX），窒化ケイ素（ＳｉＮX）または酸化アルミニウム（ＡｌＯX）等が挙げられる。酸化ケイ素には、ガラスまたはスピンオングラス（ＳＯＧ）等が含まれる。金属材料としては、例えば、アルミニウム（Ａｌ）、ニッケル（Ｎｉ）およびステンレス等が挙げられる。更に、紙および布等、多数の繊維を薄く広い板状に加工した基板を用いてもよい。ここで、布としては、例えば、織物、編物、フェルトおよび不織布等が挙げられる。
【００１７】
尚、本実施の形態の表示装置１は、例えばいわゆるセグメント方式の表示装置として、第１基板１１の上に複数の第１電極２１が配置された構成を例示するが、この表示装置１は、セグメント方式に限らず、パッシブマトリクス方式またはアクティブマトリクス方式にも適用可能である。パッシブマトリクス方式またはアクティブマトリクス方式の場合には、第１基板１１の上に、ＴＦＴ（Thin Film Transistor）等の図示しない他の素子が形成される。
【００１８】
第１電極２１は、第１基板１１の上に、例えばマトリクス状に２次元配置されている。各第１電極２１に対応する領域が、１つの画素あるいは表示単位領域となる。この第１電極２１は、伸縮性を有する導電材料を含んで構成されることが望ましい。伸縮性を有する導電材料としては、例えば、金属ナノファイバー（銀ナノファイバーまたは銅ナノファイバー等）、カーボン（カーボンナノファイバーまたはグラフェン等）、ポリチオフェン系導電性ポリマー（ＰＥＤＯＴ−ＰＳＳ）およびこれらの混合物等が挙げられる。但し、この第１電極２１の構成材料は、伸縮性を有していなくともよく、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）等の光透過性導電材料であってもよい。また、透明性を有していなくともよく、上記材料の他にも、例えば、金（Ａｕ），銀（Ａｇ），アルミニウム（Ａｌ），モリブデン（Ｍｏ）または銅（Ｃｕ）等の金属材料およびこれらのうちの２種以上を含む積層膜であってもよい。
【００１９】
粘着層２２は、例えば高分子ポリエステル樹脂、アクリル樹脂、ポリウレタン樹脂、エポキシ樹脂等を含んで構成されている。
【００２０】
表示層２０は、隔壁２３によって分割（区画）された各素子領域（セル２０Ａ）に、電気泳動素子２４を含んで構成されている。
【００２１】
隔壁２３は、表示層２０を空間的に分割すると共に、表示層２０のＺ軸方向の厚みを支持するためのものである。セル２０Ａには、それぞれ電気泳動素子２４を構成する泳動粒子２４１等が収容されている。セル２０Ａの数および配列パターンは、特に限定されない。但し、セル２０Ａを効率よく配置するため、セル２０Ａは例えばマトリクス状に敷き詰められて配置される（最密充填構造を有する）ことが望ましい。このセル２０Ａの平面形状（ＸＹ平面形状）は、後述する隔壁２３の構造により決定される。この隔壁２３の具体的な構成については後述する。
【００２２】
尚、図１では、１つのセル２０Ａが、１つの第１電極２１に対向して配置されるように示しているが、セル２０Ａの形成領域と、第１電極２１の形成領域とは一致せずに、ずれていてもよい。また、１つのセル２０Ａが、複数の第１電極２１に跨って配置されていてもよいし、１つの第１電極２１に対して複数のセル２０Ａが形成されても構わない。
【００２３】
（電気泳動素子２４の構成）
図２は、電気泳動素子２４の平面構成を模式的に表わしたものである。電気泳動素子２４は、電気泳動現象を利用してコントラストを生じさせるものである。電気泳動素子２４は、絶縁性液体２４３中に、泳動粒子２４１と、細孔２４２Ｈを有する多孔質層２４２とを含んでいる。絶縁性液体２４３は、駆動基板１０と対向基板３０との間の空間に充填されており、多孔質層２４２は、例えば隔壁２３によって支持されている。尚、ここでは、多孔質層２４２と泳動粒子２４１とを含む電気泳動素子２４の構成を例に挙げて説明するが、この構成はあくまで一例であり、電気泳動素子２４の構成はこれに限定されるものではない。例えば、以下に説明する構成の他にも、電気泳動素子２４は、複数の泳動粒子のみから構成されていてもよいし、あるいは着色溶液と着色粒子とを含んで構成されていても構わない。表示装置１は、隔壁構造をもつ一般的な電気泳動素子に適用可能である。また、表示装置１には、このような電気泳動型に限らず、磁気泳動型の表示素子が用いられてもよい。
【００２４】
絶縁性液体２４３が充填されている空間は、例えば、多孔質層２４２を境界として、第１電極２１に近い側の待避領域Ｒ１と、第２電極３２に近い側の表示領域Ｒ２とに区分けされている。なお、図１では、図示内容を簡略化するために、細孔２４２Ｈの一部だけを示している。
【００２５】
絶縁性液体２４３は、例えば、パラフィンまたはイソパラフィン等の有機溶媒により構成されている。絶縁性液体２４３には、１種類の有機溶媒を用いてもよく、あるいは複数種類の有機溶媒を用いるようにしてもよい。絶縁性液体２４３の粘度および屈折率は、できるだけ低くすることが好ましい。絶縁性液体２４３の粘度を低くすると泳動粒子２４１の移動性（応答速度）が向上する。また、これに応じて泳動粒子２４１の移動に必要なエネルギー（消費電力）は低くなる。絶縁性液体２４３の屈折率を低くすると、絶縁性液体２４３と多孔質層２４２との屈折率の差が大きくなり、多孔質層２４２の反射率が高くなる。
【００２６】
絶縁性液体２４３には、例えば、着色剤，電荷調整剤，分散安定剤，粘度調整剤，界面活性剤または樹脂等を添加するようにしてもよい。
【００２７】
泳動粒子２４１は、１または２以上の荷電粒子であり、電界に応じ細孔２４２Ｈを経て移動する。泳動粒子２４１は、例えば任意の光学的反射特性（光反射率）を有しており、泳動粒子２４１の光反射率と、多孔質層２４２の光反射率との違いによりコントラスト（ＣＲ）が生じるようになっている。例えば、泳動粒子２４１が明表示し、多孔質層２４２が暗表示するようにしてもよく、泳動粒子２４１が暗表示し、多孔質層２４２が明表示するようにしてもよい。また、２種以上（２色以上）の泳動粒子２４１が用いられてもよく、この場合には、白黒以外のカラー表示が可能な表示装置を構成することができる。
【００２８】
外部から電気泳動素子２４を見ると、泳動粒子２４１が明表示する場合には泳動粒子２４１は、例えば、白色または白色に近い色に視認され、暗表示する場合には、例えば、黒色または黒色に近い色に視認される。このような泳動粒子２４１の色は、コントラストを生じさせることができれば特に限定されない。例えば、赤色や青色でもかまわない。
【００２９】
泳動粒子２４１は、例えば、有機顔料，無機顔料，染料，炭素材料，金属材料，金属酸化物，ガラスまたは高分子材料（樹脂）等の粒子（粉末）により構成されている。泳動粒子２４１に、これらのうちの１種類を用いてもよく、または２種類以上を用いてもよい。泳動粒子２４１を、上記粒子を含む樹脂固形分の粉砕粒子またはカプセル粒子等により構成することも可能である。なお、上記炭素材料，金属材料，金属酸化物，ガラスまたは高分子材料に該当する材料は、有機顔料，無機顔料または染料に該当する材料から除く。泳動粒子２４１の粒径は、例えば１０ｎｍ以上５００ｎｍ以下が好ましく、より好ましくは、５０ｎｍ以上２００ｎｍ以下である。
【００３０】
上記の有機顔料は、例えば、アゾ系顔料、メタルコンプレックスアゾ系顔料、ポリ縮合アゾ系顔料、フラバンスロン系顔料、ベンズイミダゾロン系顔料、フタロシアニン系顔料、キナクリドン系顔料、アントラキノン系顔料、ペリレン系顔料、ペリノン系顔料、アントラピリジン系顔料、ピランスロン系顔料、ジオキサジン系顔料、チオインジゴ系顔料、イソインドリノン系顔料、キノフタロン系顔料またはインダンスレン系顔料等である。無機顔料は、例えば、亜鉛華、アンチモン白、鉄黒、硼化チタン、ベンガラ、マピコエロー、鉛丹、カドミウムエロー、硫化亜鉛、リトポン、硫化バリウム、セレン化カドミウム、炭酸カルシウム、硫酸バリウム、クロム酸鉛、硫酸鉛、炭酸バリウム、鉛白またはアルミナホワイト等である。染料は、例えば、ニグロシン系染料、アゾ系染料、フタロシアニン系染料、キノフタロン系染料、アントラキノン系染料またはメチン系染料等である。炭素材料は、例えば、カーボンブラック等である。金属材料は、例えば、金、銀または銅等である。金属酸化物は、例えば、酸化チタン、酸化亜鉛、酸化ジルコニウム、チタン酸バリウム、チタン酸カリウム、銅−クロム酸化物、銅−マンガン酸化物、銅−鉄−マンガン酸化物、銅−クロム−マンガン酸化物または銅−鉄−クロム酸化物等である。高分子材料は、例えば、可視光領域に光吸収域を有する官能基が導入された高分子化合物等である。可視光領域に光吸収域を有する高分子化合物であれば、その種類は特に限定されない。
【００３１】
泳動粒子２４１の具体的な材料は、例えば、泳動粒子２４１がコントラストを生じさせるために担う役割に応じて選択される。泳動粒子２４１が明表示する場合、泳動粒子２４１には例えば、酸化チタン、酸化亜鉛、酸化ジルコニウム、チタン酸バリウムまたはチタン酸カリウム等の金属酸化物等が用いられる。泳動粒子２４１が暗表示する場合、泳動粒子２４１には例えば、カーボンブラック等の炭素材料または銅−クロム酸化物、銅−マンガン酸化物、銅−鉄−マンガン酸化物、銅−クロム−マンガン酸化物および銅−鉄−クロム酸化物等の金属酸化物等が用いられる。中でも、泳動粒子２４１には炭素材料を用いることが好ましい。炭素材料からなる泳動粒子２４１は、優れた化学的安定性、移動性および光吸収性を示す。
【００３２】
絶縁性液体２４３中における泳動粒子２４１の含有量（濃度）は、特に限定されないが、例えば０．１重量％〜１０重量％である。この濃度範囲では、泳動粒子２４１の遮蔽性および移動性が確保される。詳細には、泳動粒子２４１の含有量が０．１重量％よりも少ないと、泳動粒子２４１が多孔質層２４２を遮蔽（隠蔽）しにくくなり、十分にコントラストを生じさせることができない可能性がある。一方、泳動粒子２４１の含有量が１０重量％よりも多いと、泳動粒子２４１の分散性が低下するため、その泳動粒子２４１が泳動しにくくなり、凝集する虞がある。
【００３３】
なお、泳動粒子２４１は、絶縁性液体２４３中における分散性を向上させるために、さらに表面処理がされていてもよい。この表面処理は、例えばロジン処理、界面活性剤処理、顔料誘導体処理、カップリング剤処理、グラフト重合処理またはμｍカプセル化処理等である。特に、グラフト重合処理、μｍカプセル化処理またはこれらを組み合わせて処理を行うことにより、泳動粒子２４１の長期間の分散安定性をさらに向上させることができる。
【００３４】
泳動粒子２４１は、絶縁性液体２４３中で長期間に渡って分散および帯電しやすく、また、多孔質層２４２に吸着しにくいことが好ましい。このため、例えば絶縁性液体２４３中に分散剤が添加される。分散剤と電荷調整剤とを併用するようにしてもよい。
【００３５】
この分散剤または電荷調整剤は、例えば、正、負のどちらか一方、または両方の電荷を有しており、絶縁性液体２４３中の帯電量を増加させると共に、静電反発により泳動粒子２４１を分散させるためのものである。このような分散剤として、例えば、Ｌｕｂｒｉｚｏｌ社製のＳｏｌｓｐｅｒｃｅシリーズ、ＢＹＫ−Ｃｈｅｍｉｃ社製のＢＹＫシリーズまたはＡｎｔｉ−Ｔｅｒｒａシリーズ、あるいはＴＣＩ  Ａｍｅｒｉｃａ社製Ｓｐａｎシリーズ、Ｃｒｏｄａ社製Ｈｙｐｅｒｍｅｒシリーズ等が挙げられる。
【００３６】
上記泳動粒子２４１を絶縁性液体２４３中に分散させる方法の詳細については、「超微粒子の分散技術とその評価〜表面処理・微粉砕と気中／液中／高分子中の分散安定化〜（サイエンス＆テクノロジー社）」等の書籍に掲載されている。
【００３７】
多孔質層２４２は泳動粒子２４１を遮蔽可能なものであり、繊維状構造体２４２Ａおよび繊維状構造体２４２Ａに保持された非泳動粒子２４２Ｂを有している。この多孔質層２４２は、繊維状構造体２４２Ａにより形成された３次元立体構造物（不織布のような不規則なネットワーク構造物）であり、複数の隙間（細孔２４２Ｈ）が設けられている。繊維状構造体２４２Ａにより、多孔質層２４２の３次元立体構造を構成することで、光（外光）が乱反射（多重散乱）し、多孔質層２４２の反射率が高くなる。従って、多孔質層２４２の厚みが小さい場合であっても高反射率を得ることができ、電気泳動素子２４のコントラストを向上させると共に泳動粒子２４１の移動に必要なエネルギーを小さくすることができる。また、細孔２４２Ｈの平均孔径が大きくなり、かつ多くの細孔２４２Ｈが多孔質層２４２に設けられる。これにより、泳動粒子２４１が細孔２４２Ｈを経由して移動し易くなり、応答速度が向上すると共に、泳動粒子２４１を移動させるために必要なエネルギーがより小さくなる。このような多孔質層２４２の厚みは、例えば、５μｍ〜１００μｍである。
【００３８】
繊維状構造体２４２Ａは、繊維径（直径）に対して十分な長さを有する繊維状物質である。例えば、複数の繊維状構造体２４２Ａが集合し、ランダムに重なって多孔質層２４２を構成する。１つの繊維状構造体２４２Ａがランダムに絡みあって多孔質層２４２を構成していてもよい。あるいは、１つの繊維状構造体２４２Ａによる多孔質層２４２と複数の繊維状構造体２４２Ａによる多孔質層２４２とが混在していてもよい。
【００３９】
繊維状構造体２４２Ａは例えば直線状に延在している。繊維状構造体２４２Ａの形状は、どのようなものであってもよく、例えば、縮れていたり、途中で折れ曲がったりしていてもよい。あるいは、繊維状構造体２４２Ａは途中で分岐していてもよい。
【００４０】
繊維状構造体２４２Ａの最小繊維径は、例えば５００ｎｍ以下であることが好ましく、より好ましくは３００ｎｍ以下である。平均繊維径は、例えば０．１μｍ以上１０μｍ以下であることが好ましいが、上記範囲外であってもよい。平均繊維径を小さくすることにより、光が乱反射し易くなり、また、細孔２４２Ｈの孔径が大きくなる。繊維状構造体２４２Ａが非泳動粒子２４２Ｂを保持できるよう、その繊維径を決定する。平均繊維径は、例えば、走査型電子顕微鏡等を用いた顕微鏡観察により測定することができる。繊維状構造体２４２Ａの平均長さは任意である。繊維状構造体２４２Ａは、例えば、相分離法，相反転法，静電（電界）紡糸法，溶融紡糸法，湿式紡糸法，乾式紡糸法，ゲル紡糸法，ゾルゲル法またはスプレー塗布法等により形成される。このような方法を用いることにより、繊維径に対して十分な長さを有する繊維状構造体２４２Ａを容易に、かつ安定して形成することができる。
【００４１】
繊維状構造体２４２Ａは、高分子材料および無機材料の少なくとも一方により形成されており、特に、ナノファイバーにより構成することが好ましい。ここでナノファイバーとは、繊維径が１ｎｍ〜１０００ｎｍであり、長さが繊維径の１００倍以上である繊維状物質である。このようなナノファイバーを繊維状構造体２４２Ａとして用いることにより、光が乱反射し易くなり、多孔質層２４２の反射率をより向上させることができる。即ち、電気泳動素子２４のコントラストを向上させることが可能となる。また、ナノファイバーからなる繊維状構造体２４２Ａでは、単位体積中に占める細孔２４２Ｈの割合が大きくなり、細孔２４２Ｈを経由して泳動粒子２４１が移動し易くなる。従って、泳動粒子２４１の移動に必要なエネルギーを小さくすることができる。ナノファイバーからなる繊維状構造体２４２Ａは、静電紡糸法により形成することが好ましい。静電紡糸法を用いることにより繊維径が小さい繊維状構造体２４２Ａを容易に、かつ安定して形成することができる。
【００４２】
繊維状構造体２４２Ａには、その光反射率が泳動粒子２４１の光反射率と異なるものを用いることが好ましい。これにより、多孔質層２４２と泳動粒子２４１との光反射率の差によるコントラストが形成され易くなる。絶縁性液体２４３中で光透過性（無色透明）を示す繊維状構造体２４２Ａを用いるようにしてもよい。
【００４３】
細孔２４２Ｈは、複数の繊維状構造体２４２Ａが重なり合い、または１つの繊維状構造体２４２Ａが絡まりあうことにより構成されている。この細孔２４２Ｈは、泳動粒子２４１が細孔２４２Ｈを経て移動し易いよう、できるだけ大きな平均孔径を有していることが好ましい。細孔２４２Ｈの平均孔径は、例えば、０．１μｍ以上１０μｍ以下である。
【００４４】
非泳動粒子２４２Ｂは、繊維状構造体２４２Ａに固定されており、電気泳動を行わない１または２以上の粒子である。非泳動粒子２４２Ｂは、保持されている繊維状構造体２４２Ａの内部に埋設されていてもよく、あるいは、繊維状構造体２４２Ａから部分的に露出していてもよい。
【００４５】
非泳動粒子２４２Ｂには、その光反射率が泳動粒子２４１の光反射率と異なるものを用いる。非泳動粒子２４２Ｂは、上記泳動粒子２４１と同様の材料により構成することが可能である。詳細には、非泳動粒子２４２Ｂ（多孔質層２４２）が明表示する場合には上記泳動粒子２４１が明表示する場合の材料、非泳動粒子２４２Ｂが暗表示する場合には上記泳動粒子２４１が暗表示する場合の材料をそれぞれ用いることができる。多孔質層２４２により明表示を行うとき、非泳動粒子２４２Ｂを金属酸化物により構成することが好ましい。これにより、優れた化学的安定性、定着性および光反射性を得ることができる。非泳動粒子２４２Ｂ、泳動粒子２４１それぞれの構成材料は同じであってもよく、異なっていてもよい。非泳動粒子２４２Ｂが明表示または暗表示を行うときに外部から視認される色は、上記泳動粒子２４１について説明したものと同様である。
【００４６】
電気泳動素子２４は、上記のように、泳動粒子２４１の光反射率と多孔質層２４２の光反射率との差によりコントラストを生じさせるものである。具体的には、泳動粒子２４１および多孔質層２４２のうち、明表示する方の光反射率が暗表示する方の光反射率よりも高くなっている。このような表示を行うことにより、明表示がなされる際の光反射率が、多孔質層２４２（３次元立体構造物）による光の乱反射を利用して著しく高くなる。従って、これに応じ、コントラストも著しく向上する。
【００４７】
第２基板３１は、上記第１基板１１と同様の材料から構成され、例えば伸縮性を有する材料を含んで構成されることが望ましい。但し、第１基板１１および第２基板３１のうちの一方（ここでは、第２基板３１）は、光透過性を有している。
【００４８】
第２電極３２は、例えば、第２基板３１の全面に形成されている。この第２電極３２は、上記第１電極２１と同様の伸縮性を有する導電材料（金属ナノファイバー、カーボンおよびポリチオフェン系導電性ポリマー等）を含んで構成されることが望ましい。但し、第２電極３２は、第１電極２１と同様に分割して配置されていてもよい。また、第２電極３２には、上記の伸縮性を有する材料に限定されず、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）等の光透過性導電材料を用いてもよい。
【００４９】
第２基板３１側に画像を表示する場合には、第２電極３２を介して電気泳動素子２４を見ることになるため、第２電極３２の光透過性（透過率）は、できるだけ高いことが好ましく、例えば、８０％以上である。また、第２電極３２の電気抵抗は、できるだけ低いことが好ましく、例えば、１００Ω／□以下である。
【００５０】
（隔壁２３の構成）
隔壁２３の構成材料は、第１基板１１および第２基板３１と同様、伸縮性を有する材料を含んでいることが望ましい。伸縮性を有する材料としては、上述の第１基板１１の材料として挙げた樹脂材料（天然ゴムまたは合成ゴム等）を用いることができる。隔壁２３は、第１基板１１および第２基板３１と同一の材料を含んでいてもよいし、異なる材料を含んでいてもよい。但し、隔壁２３と基板材料とに同一または同種の材料を用いることで、部材間の接着が容易になり、歩留まりが向上する。
【００５１】
隔壁２３のヤング率は、第１基板１１および第２基板３１のヤング率よりも大きいことが望ましい。外部からの押圧等によりＺ軸方向に沿って生じる圧縮応力に対して、隔壁２３が変形しにくくなり、表示層２０の電気的または構造的な破壊が発生することを抑制できるためである。ここで、同一の材料であっても、その材料の硬化率を変化させることでヤング率を変化させることが可能である。上記の接着性を考慮すると、隔壁２３と第１基板１１および第２基板３１とは、同一の材料を用いつつヤング率が異なるように形成されることが望ましい。
【００５２】
隔壁２３のピッチおよび高さは、特に限定されず、任意に設定可能である。一例を挙げると、隔壁２３のピッチは、例えば５０μｍ以上１０００μｍ以下であり、隔壁２３の高さは、例えば１０μｍ以上２００μｍ以下である。各隔壁２３の高さは、ほぼ均一であることが好ましい。駆動基板１０と対向基板３０との間の距離（いわゆるギャップ）が一定になるため、電界強度が均一化されるからである。これにより、表示領域内における応答速度のムラが改善される。隔壁２３の厚み（幅）は、例えば５μｍ以上２０μｍ以下である。
【００５３】
本実施の形態では、この隔壁２３が、平面視において（図１のＸＹ平面構成において）、３以上の頂点部と、これらの頂点部のうちの選択的な２つの頂点部間を結ぶ複数の線状部とを有している。尚、以下では、隔壁２３を構成する図形（形状）は、明記した場合を除いて平面視における形状（パターン）を示すものとする。図３Ａ〜図３Ｃに、隔壁２３の各頂点部間を直線で結んでなる基本骨格の形状の一例について示す。
【００５４】
図３Ａに示した例では、隔壁２３は、例えば３つの頂点部（頂点）ｐ１を有する正三角形状を１つの単位図形Ａ１１として、これらの単位図形Ａ１１が複数、充填配置されてなる基本骨格Ａ１を有する。単位図形Ａ１１では、隣り合う２つの頂点部ｐ１間を結ぶ線分は直線部ＬＳ０となっている。
【００５５】
図３Ｂに示した例では、隔壁２３は、例えば４つの頂点部（頂点）ｐ２を有する正方形状を１つの単位図形Ａ２１として、これらの単位図形Ａ２１が複数、充填配置されてなる基本骨格Ａ２を有する。単位図形Ａ２１では、隣り合う２つの頂点部ｐ２間を結ぶ線分は直線部ＬＳ０となっている。尚、ここでは、単位図形Ａ２１を正方形状として示しているが、正方形状に限らず、矩形状であってもよい。
【００５６】
図３Ｃに示した例では、隔壁２３は、例えば６つの頂点部（頂点）ｐ３を有する正六角形状を１つの単位図形Ａ３１として、これらの単位図形Ａ３１が複数、充填配置されてなる基本骨格Ａ３を有する。単位図形Ａ３１では、隣り合う２つの頂点部ｐ３間を結ぶ線分は直線部ＬＳ０となっている。
【００５７】
本実施の形態の隔壁２３は、上記の基本骨格Ａ１〜Ａ３の各単位図形Ａ１１〜Ａ３１のうちの直線部ＬＳ０を、以下に説明する線状部（線状部ＬＳ１，ＬＳ２等）に置き換えたものである。ここでは、一例として、正方形状の単位図形Ａ２１を含む基本骨格Ａ２に対応する隔壁２３の形状について説明する。但し、隔壁２３の形状は、上記の基本骨格Ａ１，Ａ３についても同様に適用することができる。また、正三角形状、正方形状および正六角形状以外の正多角形状の単位図形を有する基本骨格についても適用可能である。
【００５８】
図４に、隔壁２３を構成する線状部の一例（線状部ＬＳ１）について模式的に示す。図５には、この線状部ＬＳ１を含む隔壁２３の構成の一例について模式的に示す。隔壁２３は、２つの頂点部ｐ２間を結ぶ線状部ＬＳ１を有し、この線状部ＬＳ１が、該線状部ＬＳ１によって結ばれる頂点部ｐ２間の最短距離よりも大きな長さ（余長）を有している。換言すると、線状部ＬＳ１は、直線部ＬＳ０よりも長く構成されている。線状部ＬＳ１は、例えば湾曲した部分を有している。この例では、線状部ＬＳ１は、一方の頂点部ｐ２からもう一方の頂点部ｐ２に向かって、緩やかにカーブした形状を有する（線状部ＬＳ１の接線が連続的に変化している）。
【００５９】
図５の例では、単位図形Ａ２１の４つの直線部ＬＳ０の全てが線状部ＬＳ１に置き換えられている。各線状部ＬＳ１は、直線部ＬＳ０の一方の側（片側）にのみ形成されている（一方の側に凸となるように形成されている）。これらの４つの線状部ＬＳ１によって囲まれる領域がセル２０Ａに相当する。このような線状部ＬＳ１を用いて、望ましくは、各セル２０Ａの面積が互いに同一となるように、より望ましくは、各セル２０Ａの形状が互いに同一となるように、４つの線状部ＬＳ１からなる単位図形が充填配置されている（セル２０Ａが敷き詰められて配置されている）。
【００６０】
図６に、隔壁２３を構成する線状部の他の例（線状部ＬＳ２）について模式的に示す。図７には、この線状部ＬＳ２を含む隔壁２３の構成の一例について模式的に示す。隔壁２３は、２つの頂点部ｐ２間を結ぶ線状部ＬＳ２を有し、この線状部ＬＳ２が、該線状部ＬＳ２によって結ばれる頂点部ｐ２間の最短距離よりも大きな長さ（余長）を有している。換言すると、線状部ＬＳ２は、直線部ＬＳ０よりも長く構成されている。線状部ＬＳ２は、例えば屈曲した部分を有している。この例では、線状部ＬＳ１は、２つの頂点部ｐ２間の局所的な位置で折れ曲がった形状を有する。
【００６１】
図７の例では、単位図形Ａ２１の４つの直線部ＬＳ０の全てが線状部ＬＳ２に置き換えられている。各線状部ＬＳ２は、直線部ＬＳ０の一方の側（片側）にのみ形成されている（一方の側に凸となるように形成されている）。これらの４つの線状部ＬＳ２によって囲まれる領域がセル２０Ａに相当する。このような線状部ＬＳ２を用いて、望ましくは、各セル２０Ａの面積が互いに同一となるように、より望ましくは、各セル２０Ａの形状が互いに同一となるように、４つの線状部ＬＳ２からなる単位図形が充填配置されている。
【００６２】
これらの線状部ＬＳ１，ＬＳ２では、頂点部ｐ２間の最短距離（直線部ＬＳ０の長さ）の例えば１１０％以上の長さを有することが望ましく、例えば１２０％以上の長さを有することがより望ましい。表示層２０に対して、例えば２０％の伸縮率を付与したい場合には、線状部ＬＳ１，ＬＳ２の長さは、直線部ＬＳ０の１２０％以上に設定される。
【００６３】
尚、図５および図７では、基本骨格Ａ２（単位図形Ａ２１）の全ての直線部ＬＳ０を、線状部ＬＳ１または線状部ＬＳ２に置き換えているが、この構成に限らず、少なくとも１つの直線部ＬＳ０が線状部ＬＳ１，ＬＳ２に置き換えられていればよい。換言すると、隔壁２３には、線状部ＬＳ１または線状部ＬＳ２と、直線部ＬＳ０とが混在して設けられていてもよい。但し、本実施の形態のように、全ての直線部ＬＳ０を線状部ＬＳ１，ＬＳ２に置き換えた場合の方がより伸縮性を高めることができる。また、隔壁２３には、線状部ＬＳ１，ＬＳ２等の異なる形状の線状部が混在して設けられても構わない。更には、各セル２０Ａの面積および形状が異なっていてもよい。ここで記載した構成はあくまで例示であって限定されるものではなく、隔壁２３は、他の様々な形状をとり得る。
【００６４】
但し、これらの図５および図７の各例は、比較的単純な構造を有すると共に、高解像度を要さないことから、隔壁２３として好適な形状である。特に、図５に示した線状部ＬＳ１のように、湾曲した形状を含んで構成されることが望ましい。プロセスの歩留りを確保し易いためである。
【００６５】
［製造方法］
このような表示装置１は、例えば以下の方法により製造することができる。図８〜図１２に、表示装置１の製造工程の一例を示す。
【００６６】
まず、図８に示したように、例えばガラス等よりなる支持基板１１０上に、例えば金属酸化物膜（例えば、ＷＯｘ／ＭｏＯｘ膜）あるいは、有機絶縁膜（例えば、ＣＹＴＯＰ（登録商標））から構成された剥離層１２０を形成する。続いて、剥離層１２０上に、上述した材料（例えば伸縮性を有する樹脂材料）を含む第２基板３１を形成する。第２基板３１の成膜方法としては、例えば、スピンコート法、エアドクタコーター法、ブレードコーター法、ロッドコーター法、ナイフコーター法、スクイズコーター法、リバースロールコーター法、トランスファーロールコーター法、グラビアコーター法、キスコーター法、キャストコーター法、スプレーコーター法、スリットオリフィスコーター法、カレンダーコーター法または浸漬法等の各種塗布法が挙げられる。
【００６７】
続いて、図９に示したように、第２基板３１の上に、上述した材料（例えば伸縮性を有する導電材料）を含む第２電極３２を形成する。
【００６８】
次に、第２電極３２の上に隔壁２３を形成する。具体的には、まず、図１０Ａに示したように、第２電極３２の上に、上述した隔壁材料（例えば伸縮性を有する樹脂材料）を、上述した厚みで成膜する。成膜手法としては、上記第２基板３１と同様の塗布法を用いることができる。この後、図１０Ｂに示したように、成膜した樹脂材料を、例えばフォトリソグラフィまたはＵＶインプリント等を用いて所望の形状に加工する。これにより、上述した線状部ＬＳ１，ＬＳ２等を含む隔壁２３を形成することができる。
【００６９】
一方、図１１に示したように、例えばＰＥＴ等よりなるフレキシブルな支持基板１３０の上に、上記第２基板３１の場合と同様の材料からなる剥離層１４０を形成する。この剥離層１４０の上に、上述した材料（例えば伸縮性を有する材料）を含む第１基板１１を形成する。第１基板１１の成膜手法としては、上記第２基板３１と同様の塗布法を用いることができる。その後、第１基板１１の上に、上述した材料（例えば伸縮性を有する導電材料）を含む複数の第１電極２１を形成する。
【００７０】
この後、図１２に示したように、第１電極２１が形成された第１基板１１と、第２電極３２および隔壁２３が形成された第２基板３１とを、表示層２０を間にして貼り合わせる。この際、具体的には、第２基板３１上の隔壁２３によって形成されたセル２０Ａに、泳動粒子２４１および多孔質層２４２を収容すると共に、絶縁性液体２４３を充填する。この上に、第１電極２１を備えた第１基板１１を粘着層２２を用いて貼り合わせ、セル２０Ａを封止する。
【００７１】
最後に、第２基板３１から支持基板１１０を、第１基板１１から支持基板１３０を、それぞれ剥離することにより、図１に示した表示装置１を完成する。
【００７２】
［作用および効果］
本実施の形態の表示装置１では、第１電極２１と第２電極３２とを通じて、表示層２０に電圧が印加されると、その印加電圧の極性および大きさに応じて、各セル２０Ａに収容された泳動粒子２４１が、第１電極２１と第２電極３２との間を移動する。これにより、第１電極２１に対応する領域（画素，表示単位領域）毎に、泳動粒子２４１および多孔質層２４２の一方または両方の光反射率に応じた色を表示することができる。表示装置１の第２基板３１の上面に、文字や図柄等を表示することができる。
【００７３】
この表示装置１は、特に伸縮可能（ストレッチャブル）なディスプレイに適用される場合、隔壁２３には、伸縮による変形に起因して、引っ張りあるいは圧縮の応力がかかる。また、表示装置１が、フレキシブルディスプレイに適用される場合においても、折り曲げによる変形に起因して隔壁２３に少なからず応力がかかる。ところが、一般に、隔壁は、セル２０Ａを空間的に区画するための網目状の構造物であるから、変形に対する自由度が小さい。このため、曲げや伸縮に対する応力が隔壁に印加された場合、隔壁が損傷したり、破壊されることがある。この結果、泳動粒子を一定区域内に留めておくことが困難となり、表示面内で偏りが生じる。また、セル厚を表示面全域で一定の大きさに保持できず、時間の経過と共に、あるいは使用状態に応じて、表示品位が低下してしまう。
【００７４】
例えば、隔壁に上記のような変形に起因して応力が生じると、隔壁が例えば電極との界面から分裂したり、隔壁に亀裂が生じたりして、構造が破壊されてしまう。
【００７５】
このため、隔壁２３では、上記のような変形に対する自由度（柔軟性）を向上させることが望ましい。尚、柔軟性を確保するためには、隔壁２３自体に柔軟な材料を用いることが考えられるが、これは機械的信頼性とのトレードオフの関係にある。セル２０Ａは、密閉された空間であるから、このセル２０Ａに対して外部から圧力が加わることにより、セル２０Ａ内の圧力が高まり、機械的に脆弱な隔壁２３の構造が損傷することが懸念される。
【００７６】
ここで、図１３に、本実施の形態の比較例に係る隔壁（隔壁１０２）の構成を示す。この比較例では、隔壁１０２の一部の領域（領域１０２Ｂ）が間引かれており、隔壁１０２が複数の直線部分に細分化されている。細分化により、上記のような変形に対して、隔壁１０２が追従し易くなる。また、セル１０２Ａ内の泳動粒子１０３を含む液体が領域１０２Ｂを通じて流動的に他のセル１０２Ａに移動可能であるため、外部から圧力（押圧）が加わった場合にも、その圧力を緩和することが可能である。しかしながら、この構造では、泳動粒子１０３が流動的に異なるセル１０２Ａ間を移動することとなり、泳動粒子１０３の偏りを生じる（泳動粒子１０３を一定区域内に留めておくことが困難である）。このように、印加される電界や、その他の外的要因によって泳動粒子１０３がセル１０２Ａ間を移動し、表示面内で偏りが生じ、時間の経過と共に、あるいは使用状態に応じて、表示品位が低下してしまう。
【００７７】
これに対し、本実施の形態では、隔壁２３が、平面視において、例えば図４および図５に示したように、３以上の頂点部（例えば頂点部ｐ２）と、これらの頂点部ｐ２のうちの選択的な２つの頂点部ｐ２間を結ぶ複数の線状部（例えば線状部ＬＳ１）とを有している。これらの複数の線状部ＬＳ１がそれぞれ、該線状部ＬＳ１によって結ばれる頂点部ｐ２間の最短距離（直線部ＬＳ０の長さ）よりも大きな長さを有している。
【００７８】
これにより、表示装置１が曲げおよび伸縮等に起因して変形した際に、隔壁２３の材料そのものの弾性変形よりも前に、隔壁２３の構造的な変形伸縮が生じる。即ち、例えば湾曲した線状部分を有する隔壁２３に対し、その延在方向に沿って引っ張り応力が生じた場合、隔壁２３は、まず、元の形状を直線状に伸ばしたような形状に変形し、その後、更なる引っ張り応力により弾性変形する。このため、隔壁２３全体の伸縮性が向上し、隔壁２３に係る応力を緩和することができる。特に、面内方向（図１のＸＹ平面に沿った方向）に沿って、隔壁２３にかかる引っ張り応力を緩和することができる。より大きな伸縮に対して追従可能となり、変形に対する自由度が向上する。
【００７９】
また、隔壁２３の構成材料のヤング率が、第１基板１１および第２基板３１の構成材料のヤング率よりも大きいことで、特に、垂直方向（図１のＺ軸方向）に沿って隔壁２３にかかる圧縮応力を緩和することができる。これにより、押圧等により隔壁２３が変形しにくくなり、表示層２０において電気的または構造的な破壊が生じることを抑制できる。
【００８０】
以上のように、本実施の形態では、第１基板１１と第２基板３１との間に封止されると共に泳動粒子２４１を含む表示層２０を、複数のセル２０Ａに分割する隔壁２３が設けられている。この隔壁２３が、平面視において、３以上の頂点部ｐ２のうちの選択的な２つの頂点部ｐ２を結ぶ複数の線状部ＬＳ１を含む。これらの複数の線状部ＬＳ１がそれぞれ、該線状部ＬＳ１によって結ばれる２つの頂点部ｐ２間の最短距離よりも大きな長さを有するようにしたので、装置全体が曲げ等に起因して変形した際に、隔壁２３にかかる応力を緩和することができる。隔壁２３により、泳動粒子２４１の偏りを抑制しつつ、変形に対する柔軟性を向上させることができる。よって、表示品位を向上させることが可能となる。
【００８１】
次に、上記実施の形態の変形例について説明する。上記実施の形態と同様の構成要素については同一の符号を付し、適宜その説明を省略する。
【００８２】
上記実施の形態では、隔壁２３の各線状部ＬＳ１，ＬＳ２が、基本骨格Ａ２の直線部ＬＳ０の一方の側にのみ形成された構成を例示したが、この構成に限らず、線状部ＬＳ１，ＬＳ２が直線部ＬＳ０と交差して形成されてもよい。その一例を、以下の変形例１〜３に示す。また、上記実施の形態では、隔壁２３の各線状部ＬＳ１，ＬＳ２が、一方の頂点部ｐ２からもう一方の頂点部ｐ２に向かって、全体的に湾曲または屈曲した構成を例示したが、これに限定されず、線状部ＬＳ１，ＬＳ２は、直線部ＬＳ０と一致する部分を有していてもよい。変形例１〜４の各構成においても、上記実施の形態と同等の効果を得ることができる。
【００８３】
＜変形例１＞
図１４は、変形例１に係る隔壁２３を構成する線状部（線状部ＬＳ３）について模式的に表したものである。図１５は、この線状部ＬＳ３を含む隔壁２３の構成の一例について模式的に表したものである。本変形例の隔壁２３は、２つの頂点部ｐ２間を結ぶ線状部ＬＳ３を有し、この線状部ＬＳ３が、上記実施の形態の線状部ＬＳ１，ＬＳ２と同様、該線状部ＬＳ３によって結ばれる頂点部ｐ２間の最短距離よりも大きな長さを有している。換言すると、線状部ＬＳ３は、直線部ＬＳ０よりも長く構成されている。線状部ＬＳ３は、例えば湾曲した部分を有している。この例では、線状部ＬＳ３は、一方の頂点部ｐ２からもう一方の頂点部ｐ２に向かって、緩やかにカーブした形状を有する（線状部ＬＳ３の接線が連続的に変化している）。図１５の例では、直線部ＬＳ０の全てが線状部ＬＳ３に置き換えられている。
【００８４】
但し、本変形例では、各線状部ＬＳ３が、直線部ＬＳ０と１回交差して形成されている（１つの交点２３ａを有している）。即ち、各線状部ＬＳ３が、直線部ＬＳ０の両側に形成されている。これらの４つの線状部ＬＳ４によって囲まれる領域がセル２０Ａに相当する。このような線状部ＬＳ３を用いて、望ましくは、各セル２０Ａの面積が互いに同一となるように、より望ましくは、各セル２０Ａの形状が互いに同一となるように、４つの線状部ＬＳ３からなる単位図形が充填配置されている。
【００８５】
＜変形例２＞
図１６は、変形例２に係る隔壁２３を構成する線状部（線状部ＬＳ４）について模式的に表したものである。図１７は、この線状部ＬＳ４を含む隔壁２３の構成の一例について模式的に表したものである。本変形例の隔壁２３は、２つの頂点部ｐ２間を結ぶ線状部ＬＳ４を有し、この線状部ＬＳ４が、上記実施の形態の線状部ＬＳ１，ＬＳ２と同様、該線状部ＬＳ４によって結ばれる頂点部ｐ２間の最短距離よりも大きな長さを有している。換言すると、線状部ＬＳ４は、直線部ＬＳ０よりも長く構成されている。線状部ＬＳ４は、例えば屈曲した部分を有している。この例では、線状部ＬＳ４は、２つの頂点部ｐ２間の局所的な位置で折れ曲がった形状を有する。図１７の例では、直線部ＬＳ０の全てが線状部ＬＳ４に置き換えられている。
【００８６】
但し、本変形例では、各線状部ＬＳ４が、直線部ＬＳ０と１回交差して形成されている（１つの交点２３ｂを有している）。即ち、各線状部ＬＳ４が、直線部ＬＳ０の両側に形成されている。これらの４つの線状部ＬＳ４によって囲まれる領域がセル２０Ａに相当する。このような線状部ＬＳ４を用いて、望ましくは、各セル２０Ａの面積が互いに同一となるように、より望ましくは、各セル２０Ａの形状が互いに同一となるように、４つの線状部ＬＳ４からなる単位図形が充填配置されている。
【００８７】
＜変形例３＞
図１８は、変形例３に係る隔壁２３を構成する線状部（線状部ＬＳ５）について模式的に表したものである。図１９は、この線状部ＬＳ５を含む隔壁２３の構成の一例について模式的に表したものである。本変形例の隔壁２３は、２つの頂点部ｐ２間を結ぶ線状部ＬＳ５を有し、この線状部ＬＳ５が、上記実施の形態の線状部ＬＳ１，ＬＳ２と同様、該線状部ＬＳ５によって結ばれる頂点部ｐ２間の最短距離よりも大きな長さを有している。換言すると、線状部ＬＳ５は、直線部ＬＳ０よりも長く構成されている。線状部ＬＳ５は、例えば湾曲した部分を有している。この例では、線状部ＬＳ５は、一方の頂点部ｐ２からもう一方の頂点部ｐ２に向かって、緩やかにカーブした形状を有する（線状部ＬＳ５の接線が連続的に変化している）。図１９の例では、直線部ＬＳ０の全てが線状部ＬＳ５に置き換えられている。
【００８８】
但し、本変形例では、各線状部ＬＳ５が、直線部ＬＳ０と２回交差して形成されている（２つの交点２３ｃを有している）。即ち、各線状部ＬＳ５が、直線部ＬＳ０の両側に形成されている。これらの４つの線状部ＬＳ５によって囲まれる領域がセル２０Ａに相当する。このような線状部ＬＳ５を用いて、望ましくは、各セル２０Ａの面積が互いに同一となるように、より望ましくは、各セル２０Ａの形状が互いに同一となるように、４つの線状部ＬＳ５からなる単位図形が充填配置されている。尚、特に図示はしないが、直線部ＬＳ０と２回交差する線状部が、屈曲した部分を有していてもよい。
【００８９】
＜変形例４＞
図２０は、変形例４に係る隔壁２３を構成する線状部（線状部ＬＳ６）について模式的に表したものである。図２１は、この線状部ＬＳ６を含む隔壁２３の構成の一例について模式的に表したものである。本変形例の隔壁２３は、２つの頂点部ｐ２間を結ぶ線状部ＬＳ６を有し、この線状部ＬＳ６が、上記実施の形態の線状部ＬＳ１，ＬＳ２と同様、該線状部ＬＳ６によって結ばれる頂点部ｐ２間の最短距離よりも大きな長さを有している。換言すると、線状部ＬＳ６は、直線部ＬＳ０よりも長く構成されている。線状部ＬＳ６は、例えば湾曲した部分（湾曲部分ＬＳ６１）を有している。図２１の例では、直線部ＬＳ０の全てが線状部ＬＳ６に置き換えられている。
【００９０】
但し、本変形例では、線状部ＬＳ６が、１つの湾曲部分ＬＳ６１と共に、直線部ＬＳ０と一致した部分（２つの直線部分ＬＳ６２）を有している。湾曲部分ＬＳ６１は、緩やかにカーブした形状を有する（湾曲部分ＬＳ６１の接線が連続的に変化している）。湾曲部分ＬＳ６１は２つ以上形成されてもよい。直線部分ＬＳ６２は、１つであってもよいし、３つ以上形成されてもよい。
【００９１】
＜適用例＞
次に、上記実施の形態の表示装置１の適用例について説明する。表示装置１は、各種用途の電子機器に適用可能であり、その電子機器の種類は特に限定されない。この表示装置１は、例えば、以下の電子機器に搭載可能である。ただし、以下で説明する電子機器の構成はあくまで一例であるため、その構成は適宜変更可能である。
【００９２】
（適用例１）
図２２Ａおよび図２２Ｂは、電子ブックの外観構成を表している。この電子ブックは、例えば、表示部２１０および非表示部２２０と、操作部２３０とを備えている。なお、操作部２３０は、図２２Ａに示したように非表示部２２０の前面に設けられていてもよいし、図２２Ｂに示したように上面に設けられていてもよい。表示部２１０が表示装置１により構成される。なお、表示装置１は、図２２Ａおよび図２２Ｂに示した電子ブックと同様の構成を有するＰＤＡ（Personal Digital Assistants）等に搭載されてもよい。
【００９３】
（適用例２）
表示装置１は、上記の電子ブックおよびタブレット型のパーソナルコンピュータの他にも、いわゆるウェアラブル端末として、例えば鞄、衣服、帽子、眼鏡および靴等の服飾品の一部に適用することが可能である。以下に、そのような服飾品一体型の電子機器の一例を示す。ここで示す構成はあくまで一例であり、その構成は適宜変更可能である。
【００９４】
図２３Ａおよび図２３Ｂは、表示装置１が搭載された鞄（バッグ）の外観を表したものである。この鞄は、例えば、収納部３１０と、持ち手３２０とを有しており、これらのうち、例えば収納部３１０に、表示装置１が用いられている。これにより、収納部３１０の表面を、例えば図２３Ａに示したように全面白色（無地）としたり、例えば図２３Ｂに示したように、黒色と白色との格子柄としたりすることができる。また、この色や柄を、電源をオフにした後も維持することができる。
【００９５】
（適用例３）
また、表示装置１は、上記のようなファッション用途の他にも、例えばインテリア用途にも適用することができる。図２４は、表示装置１が搭載された壁面４００の外観を表したものである。このように、表示装置１を、部屋の壁面４００等に固定し、色や柄が変化するクロスとして用いることも可能である。
【００９６】
更に、図示はしないが、表示装置１を、例えば自動車等の内装用のシートに適用することも可能である。車の内装では、平面ではなく曲面に対して、シートが張られることから、曲げや伸縮等の変形に対して柔軟性を有する表示装置１は、好適である。
【００９７】
以上、実施の形態および変形例を挙げて本開示を説明したが、本開示は上記実施の形態等に限定されるものではなく、種々変形が可能である。また、本明細書中に記載された効果はあくまで例示であって限定されるものではなく、他の効果があってもよい。
【００９８】
尚、本開示は、以下のような構成であってもよい。
（１）
第１基板と、
前記第１基板の上に設けられた複数の第１電極と、
前記第１基板に対向して配置された第２基板と、
前記第２基板の前記第１電極の側に形成された第２電極と、
前記第１基板と前記第２基板との間に封止されると共に、泳動粒子を含む表示層と、
前記表示層を複数の素子領域に分割する隔壁と
を備え、
前記隔壁は、平面視において、３以上の頂点部と、前記３以上の頂点部のうちの選択的な２つの頂点部を結ぶ１または複数の線状部とを含み、
各線状部は、該線状部によって結ばれる２つの頂点部間の最短距離よりも大きな長さを有する
表示装置。
（２）
各線状部は、該線状部によって結ばれる２つの頂点部間の最短距離の１１０％以上の長さを有する
上記（１）に記載の表示装置。
（３）
各線状部は、該線状部によって結ばれる２つの頂点部間の最短距離の１２０％以上の長さを有する
上記（２）に記載の表示装置。
（４）
各線状部は、湾曲または屈曲した部分を含む
上記（１）ないし（３）のいずれか１つに記載の表示装置。
（５）
各線状部は、平面視において、該線状部によって結ばれる２つの頂点部を端部とする直線のうちの一方の側のみに形成されている
上記（１）ないし（４）のいずれか１つに記載の表示装置。
（６）
各線状部は、平面視において、該線状部によって結ばれる２つの頂点部を端部とする直線と、１または複数の箇所において交差して形成されている
上記（１）ないし（５）のいずれか１つに記載の表示装置。
（７）
前記複数の素子領域の面積は互いに同一である
上記（１）ないし（６）のいずれか１つに記載の表示装置。
（８）
前記複数の素子領域は、平面視において、互いに同一の形状を有する
上記（１）ないし（７）のいずれか１つに記載の表示装置。
（９）
前記複数の素子領域は、平面視において、敷き詰められて配置されている
上記（１）ないし（８）のいずれか１つに記載の表示装置。
（１０）
前記隔壁の前記頂点部同士を直線で結んでなる基本骨格は、平面視において、正多角形状を有する
上記（１）ないし（９）のいずれか１つに記載の表示装置。
（１１）
前記正多角形状は、正三角形状、正方形状または正六角形状である
上記（１０）に記載の表示装置。
（１２）
前記隔壁は、伸縮性を有する
上記（１）ないし（１１）のいずれか１つに記載の表示装置。
（１３）
前記第１基板および前記第２基板は、伸縮性を有する
上記（１）ないし（１２）のいずれか１つに記載の表示装置。
（１４）
前記隔壁の構成材料のヤング率は、前記第１基板および前記第２基板のヤング率よりも大きい
上記（１）ないし（１３）のいずれか１つに記載の表示装置。
（１５）
第１基板と、
前記第１基板の上に設けられた複数の第１電極と、
前記第１基板に対向配置された第２基板と、
前記第２基板の前記第１電極の側に形成された第２電極と、
前記第１基板と前記第２基板との間に封止されると共に、泳動粒子を含む表示層と、
前記表示層を複数の素子領域に分割する隔壁と
を備え、
前記隔壁は、平面視において、３以上の頂点部と、前記３以上の頂点部のうちの選択的な２つの頂点部を結ぶ１または複数の線状部とを含み、
各線状部は、該線状部によって結ばれる２つの頂点部間の最短距離よりも大きな長さを有する
表示装置を備えた電子機器。
【符号の説明】
【００９９】
１…表示装置、１１…第１基板、２０…表示層、２０Ａ…セル、２１…第１電極、２２…粘着層、２３…隔壁、２４…電気泳動素子、３１…第２基板、３２…第２電極、２４１…泳動粒子、２４２…多孔質層、２４３…絶縁性液体、２４２Ａ…繊維状構造体、２４２Ｂ…非泳動粒子、２４２Ｈ…細孔、Ａ１〜Ａ３…基本骨格、Ａ１１，Ａ２１，Ａ３１…単位図形、ｐ１〜ｐ３…頂点部、ＬＳ０…直線部、ＬＳ１〜ＬＳ６…線状部。
【図１】
2018017822.tif 000003
【図２】
2018017822.tif 000004
【図３Ａ】
2018017822.tif 000005
【図３Ｂ】
2018017822.tif 000006
【図３Ｃ】
2018017822.tif 000007
【図４】
2018017822.tif 000008
【図５】
2018017822.tif 000009
【図６】
2018017822.tif 000010
【図７】
2018017822.tif 000011
【図８】
2018017822.tif 000012
【図９】
2018017822.tif 000013
【図１０Ａ】
2018017822.tif 000014
【図１０Ｂ】
2018017822.tif 000015
【図１１】
2018017822.tif 000016
【図１２】
2018017822.tif 000017
【図１３】
2018017822.tif 000018
【図１４】
2018017822.tif 000019
【図１５】
2018017822.tif 000020
【図１６】
2018017822.tif 000021
【図１７】
2018017822.tif 000022
【図１８】
2018017822.tif 000023
【図１９】
2018017822.tif 000024
【図２０】
2018017822.tif 000025
【図２１】
2018017822.tif 000026
【図２２Ａ】
2018017822.tif 000027
【図２２Ｂ】
2018017822.tif 000028
【図２３Ａ】
2018017822.tif 000029
【図２３Ｂ】
2018017822.tif 000030
【図２４】
2018017822.tif 000031